(57)【要約】【解決課題】本発明は、折り畳み式の車椅子を広げる際に、サイドフレームと座部フレームの間に指を詰めいないようにした折り畳み車椅子を提供する。【解決手段】折り畳み車椅子の座部フレームと上部フレームの間に布製のハンドガード１９を張設した折り畳み車椅子と、座部フレームと上部フレームの間にハンドガード１９を張設し、さらに座部フレームの後端部に踏みベルトを着設することにより座部フレームとサイドフレームの間に指を詰める問題を解決した。【選択図】図１
2010201101.tif 000002
【特許請求の範囲】
【請求項１】
折り畳み車椅子のサイドフレームと座部フレームの間に指を詰めいないように座部フレームと上部フレームの間に布を張設したことを特徴とする指づめ防止機能付き折り畳み車椅子。
【請求項２】
折り畳み車椅子のサイドフレームと座部フレームの間に指を詰めいないように座部フレームと上部フレームの間に布を貼設し、さらに座部フレームの後端部に踏みベルトを着設したことを特徴とする請求項１に記載の指づめ防止機能付き折り畳み車椅子。
【発明の詳細な説明】
【技術分野】
【０００１】
折り畳み式の車椅子の開閉が安全にできる折り畳み車椅子に関する。より詳しくは、折り畳み式の車椅子を開くときに座部フレームとサイドフレームの間に指を挟まないようにした指づめ防止機能付き折り畳み車椅子に関する。
【背景技術】
【０００２】
車椅子を使用する人には、それぞれ障害の種類や障害の程度が異なっており、車椅子を使用する際して、健常者には考えられないような事故が発生することが屡々ある。そのために、車椅子の使用中に発生する事故を未然に防ぐために種々の工夫が為されている。
【０００３】
特許文献１には、段落[０００６]の第４行目より「ハンドリング操作時には取付金具に使用者の手指があたり、手指の傷害あるいは握り損ないを生じさせないため、リムとハンドリング間の円周方向の隙間をなくし、かつ、取付金具を廃止すること、ならびに使用者がハンドリングを確実に強く握れるようにすることである。」と記載のように、取付金具に使用者の手指が当たらないように、リムとハンドリング間の円周方向の隙間をなくし、取付金具を廃止する等の工夫が開示されている。
【０００４】
特許文献２には、段落[０００１]に「本発明は、車椅子の車輪のスポーク部をカバーすることにより、車椅子走行中に使用者がスポークに指を挟むことが防止でき、また、カバー表面に様々な装飾を施すことにより車椅子の美観を向上し、使用者の個性発揮に寄与する車椅子用車輪カバーに関する。」と記載のように、車椅子の走行中に使用者がスポークに指を挟むことようなことがないようにすると共に、装飾用ともなるカバーの提供が開示されている。
【０００５】
特許文献３では、段落[０００３]の第２１行目より「従って、車椅子が走行中に急に方向転換を行った場合には、カバーの周縁部が遊動して回転中のスポーク部分に接触し、摩擦音が発生するトラブルや、ナットの緩みを直すためにはカバー本体表面に貼り付けた装飾材を一旦剥ぎとり、次いで貼り直す作業が必要になるなど、実用化を図るためには、支承部分の改善が必要不可欠となっている。本発明による車輪カバーは、以上の問題点を抜本的に解消するため、機構全体の単純化を図ることによって、トラブルが発生しにくい構造とし、しかも作用効果が一段と向上する車椅子用車輪カバーの提供を目的とする。」と記載のように、カバーの周縁部が遊動して回転中のスポーク部分に接触し、摩擦音が発生するトラブルや、ナットの緩みを直す車輪カバーが開示されている。
【０００６】
上記のように、車椅子を取り扱っている最中に発生する事故を未然に防止するための方法は、その多くは車椅子の車輪に指づめすることを防止することを目的として改良が重ねられている。しかし、車椅子の事故は車輪に指づめすることに限られず、折り畳み式の車椅子を広げるときにサイドフレームと座部フレームの間に指を挟む事故も多く、このような事故を防止する車椅子の出現が望まれている。
【先行技術文献】
【特許文献】
【０００７】
【特許文献１】特開平０７−３０４３０２号公報
【特許文献２】特開２００２−８５４６０号公報
【特許文献３】特開２００３−７９６７０号公報
【発明の概要】
【発明が解決しようとする課題】
【０００８】
本発明は、折り畳み式の車椅子を広げる際に、サイドフレームと座部フレームの間に指をつめいないようにした指づめ防止機能付き折り畳み車椅子を提供するものである。
【課題を解決するための手段】
【０００９】
折り畳み式の車椅子を使用時に広げようとする際に、サイドフレームと座部フレームの間に指を詰めることが屡々発生する。このような指を詰める事故を起こさないようにした車椅子を提供するために鋭意検討を加えた結果、上部フレームと座部フレームの間に布を貼設した。さらに、座部フレームの後端部に踏みベルトを着設することにより解決した。
【００１０】
本発明の特徴は、折り畳み車椅子のサイドフレームと座部フレームの間に指を詰めないように座部フレームと上部フレームの間に布を貼設したことを特徴とする指づめ防止機能付き車椅子である。
【００１１】
従来、折り畳み可能な車椅子を折り畳んだ状態から、使用できるように広げる場合に、座部フレームを握るようにして押さえるために、座部フレームとサイドフレームの間に指を詰める事故が屡々あった。本発明はこのような事故を防ぐために座部フレームと上部フレームの間に布を貼設した指づめ防止機能付き折り畳み車椅子を提供するものである。
【００１２】
本発明の別の特徴は、車椅子のサイドフレームと座部フレームの間に指を詰めいないように座部フレームと上部フレームの間に布を貼設し、さらに座部フレームの後端部に踏みベルトを着設したことを特徴とする指づめ防止機能付き車椅子である。
【００１３】
折り畳み可能な車椅子を折り畳んだ状態から、使用できるように広げる場合に、座部フレームを握るようにして押さえなくても良いように車椅子の後部に踏みベルトを着設して、このベルトを足で踏むと車椅子が開くようにしたものである。折り畳まれた車椅子を開くときに車椅子の前に回ることなく、把持部を持って踏みベルトを踏み込むと折り畳み車椅子を簡単に開くことができる指づめ防止機能付き折り畳み車椅子を提供するものである。
【発明の効果】
【００１４】
本発明の指づめ防止機能付き折り畳み車椅子は、折り畳み車椅子の座部フレームと上部フレームの間に布を貼設したことによって、座部フレームの端部に手を添えて押さえても座部フレームとサイドフレームの間に指を詰めるような事故がなくなった。
【００１５】
さらに、指づめ防止機能付き折り畳み車椅子の後部に踏みベルトを着設して、折り畳まれた車椅子を開くときに車椅子の前に回ることなく、把持部を持って踏みベルトを踏み込むと折り畳み車椅子を簡単に開くことができる。
【図面の簡単な説明】
【００１６】
【図１】ハンドガードを貼設した折り畳み車椅子の斜視図である。
【図２】ハンドガードを貼設した折り畳み車椅子を折り畳んだ部分斜視図である。
【図３】ハンドガードを貼設した車椅子の部分斜視図である。
【図４】座部フレームの後端部に踏みベルトを着設した折り畳み車椅子の後部斜視図である。
【図５】折り畳み車椅子の座部フレームの後端部に着設する踏みベルトの表面図と裏面図である。
【図６】折り畳み車椅子のクロスバーの上端部に着設した座部フレームの後端部に踏みベルトを着設する位置を示す斜視図である。
【図７】折り畳み車椅子の座部フレームの後端部に踏みベルトを着設した部分斜視図である。
【図８】従来の折り畳み車椅子の座部フレームを押さえて折り畳み車椅子を開く部分斜視図である。
【発明を実施するための形態】
【００１７】
以下に本発明の実施の形態について、図面を用いて説明するが、本発明は以下の実施例に限定されるものではない。
【００１８】
図１に示すように、本発明のハンドガード１９を貼設した折り畳み車椅子１００は、把持部１１を有する後部フレーム１２に背もたれ１３が張設されており、クロスバー２３上に座部フレーム１８が着設されている。折り畳み車椅子を開くと、クロスバー２３が開いて座部フレーム１８はサイドフレーム２０の両側面の内側に着設されたサイドフレーム支持部２０ａで支持される。
【００１９】
この折り畳み車椅子１００を開く際に、不慣れな介助者は、図８に示すように座部フレーム１８を握るようにして押さえるために、座部フレーム１８とサイドフレーム２０の間に指が挟まれて怪我をすることが屡々起こる。
【００２０】
本願発明は、折り畳み車椅子の座部フレーム１８と上部フレーム１６の間に布製のハンドガード１９を張設することにより座部フレーム１８とサイドフレーム２０の間に指を詰める問題を解決した。ここで張設するハンドガード用の布は、一般に使用される背もたれ、座部の布と同様の丈夫な材質の布であってもよいが、必ずしも背もたれや、座部と同一のものに限定されるものではなく、柄や色彩が異なっても良い。
【００２１】
図２は、座部フレーム１８と上部フレーム１６の間にハンドガード１９を張設した折り畳み車椅子を折り畳んだ状態の座部１７の部分を示している。座部１７の下部のクロスバー２３がサイドフレーム支持部２０ａから離れて上昇し、座部１７とハンドガード１９は折り畳まれた状態になる。
【００２２】
図３に示すように、座部フレーム１８と上部フレーム１６の間にハンドガード１９を張設した本発明の折り畳み車椅子１００は、折り畳み車椅子を広げる場合に、座部１７の端部に手を添えてもハンドガード１９が張設されているので、手は座部１７の側面からはみ出すことがなく、座部フレーム１８とサイドフレーム２０の間に指等が挟まれることがなくなった。
【００２３】
図４は、本発明の折り畳み車椅子１００の座部フレーム１８の後端部に踏みベルト２７を着設した折り畳み車椅子を示している。踏みベルト２７の両端部をクロスバー２３の上部に着設された座部フレーム１８の後端部に、それぞれ外側から巻き付けるようにして踏みベルト２７を着設する。踏みベルト２７の中央に挿通したゴムプレート２７ａを踏むとクロスバー２３は広げられる結果、折り畳み車椅子を広げることができる。折り畳み車椅子の把持部１１を握ってゴムプレート２７ａを踏むと力の弱い人でも簡単に折り畳み車椅子を指を詰めることもなく広げることができる。
【００２４】
図５は、折り畳み車椅子の座部フレーム１８の後端部に着設する踏みベルト２７の表面図（５−１）と裏面図（５−２）を示す。踏みベルト２７の材質は特に限定されるものではないが、長期間の使用に耐えることができる耐候性のある合成樹脂製等のベルトが望ましい。本発明においては、ポリプロピレン製のベルト（略５０ｍｍベルト）２７に踏みやすいようにゴムプレート２７ａを挿通した例を示している。
【００２５】
図６は、折り畳み車椅子に着設するクロスバー２３の上部に着設した座部フレーム１８の後端部に踏みベルト２７を着設する状態を示している。中央部にゴムプレート２７ａを挿通した踏みベルト２７は座部フレーム１８の後端部に踏みベルト２７の端部を外側から巻くように巻着する。
【００２６】
図７は、本発明の折り畳み車椅子の座部フレーム１８の後端部に踏みベルト２７を着設した車椅子の後側の部分を示している。クロスバー２３の上部に着設された座部フレーム１８の後端部に着設した踏みベルト２７の中央部にゴムプレート２７ａを挿着し、その両端に踏みベルト用紐２８を着設して背もたれのポケット１３ａを通して背もたれ１３の上部に引出し、コードストッパー２８ａを取り付ける。踏みベルトのゴムプレート２７ａを踏むとベルト２７が下がると同時に折り畳み車椅子を広げることができる。踏んで下がったベルト２７は、紐２８を引っ張って引き上げておく。
【００２７】
踏んで下がったベルト２７を引き上げる方法は、実施例に示すように紐２８を着設する他に、ゴムやバネの様な弾性部材を用いて踏み込んだベルトが弾性部材の反発力により元に戻るようにすることもできる。踏み込んだベルトを元に戻す方法は本実施例に示す紐に限定されるものではない。
【００２８】
折り畳まれた車椅子を開くために、車椅子の後部に踏みベルト２７を着設することによって、介助者が車椅子の前に回って車椅子を開く手間を省くことができる。
【符号の説明】
【００２９】
１００：指づめ防止付き車椅子
１１：把持部
１２：後部フレーム
１３：背もたれ
１４：サイドガード
１５：アームレスト
１６：上部フレーム
１７：座部
１８：座部フレーム
１９：ハンドガード
２０：サイドフレーム
２１：ブレーキレバー
２２：主車輪
２３：クロスバー
２４：フットレスト
２５：レッグレスト
２６：テッピングバー
２７：踏みベルト
２８：踏みベルト用紐
【図１】
2010201101.tif 000003
【図２】
2010201101.tif 000004
【図３】
2010201101.tif 000005
【図４】
2010201101.tif 000006
【図５】
2010201101.tif 000007
【図６】
2010201101.tif 000008
【図７】
2010201101.tif 000009
【図８】
2010201101.tif 000010